(57)【要約】【課題】ヒートポンプ装置を使った衣類乾燥機において、消費電力量の低減と乾燥性能の向上を実現する。【解決手段】本発明の衣類乾燥機は、冷媒を圧縮する圧縮機２１と圧縮された冷媒の熱を放熱する放熱器２２と高圧の冷媒の圧力を減圧する絞り部２３と減圧されて低圧となった冷媒によって周囲から熱を奪う第一の吸熱器２４と第二の吸熱器２５とを冷媒が循環可能に管路で連結したヒートポンプ装置２０の第一の吸熱器２４と放熱器２２を循環風路７中に、第二の吸熱器２５を排気風路１０中にそれぞれ配置するとともに、第一の吸熱器２４と第二の吸熱器２５とは、並列関係をなすように２つに分岐された管路にそれぞれ接続したことにより、循環風路７外からの採熱効果を高めるとともに圧縮機２１の吸入冷媒圧力を高めることで消費電力量の低減と乾燥性能の向上を実現することができる。【選択図】図１
2019000342.tif 000002
【特許請求の範囲】
【請求項１】
筐体と、前記筐体内に回転自在に設けられた回転ドラムと、冷媒を圧縮する圧縮機と圧縮された冷媒の熱を放熱する放熱器と高圧の冷媒の圧力を減圧する絞り部と減圧されて低圧となった冷媒によって周囲から熱を奪う第一の吸熱器と第二の吸熱器とを冷媒が循環可能に管路で連結して構成されたヒートポンプ装置と、前記回転ドラム内の乾燥用空気を循環させる循環風路と、前記循環風路内に設けられ、前記ヒートポンプ装置によって加熱された乾燥用空気を前記回転ドラム内に供給する送風装置と、前記回転ドラムから出た乾燥用空気の一部または全部を前記循環風路から分岐して前記循環風路外へ排出する排気風路と、前記循環風路外の空気を前記循環風路内に吸気する吸気風路とを備え、前記第一の吸熱器および前記放熱器は前記循環風路中に、前記第二の吸熱器は前記排気風路中にそれぞれ配置されるとともに、前記第一の吸熱器および前記第二の吸熱器は、並列関係をなすように２つに分岐された管路にそれぞれ接続されたことを特徴とする衣類乾燥機。
【請求項２】
前記絞り部は、前記２つに分岐された管路の分岐部と前記第一の吸熱器との間に設けられた第一の絞り部と、前記分岐部と前記第二の吸熱器との間に設けられた第二の絞り部とからなる請求項１に記載の衣類乾燥機。
【請求項３】
前記第一の絞り部と前記第二の絞り部のうち少なくも一方は、冷媒に対する絞り量を可変できる絞り部である請求項２に記載の衣類乾燥機。
【発明の詳細な説明】
【技術分野】
【０００１】
本発明は、衣類等の繊維製品の乾燥を行う衣類乾燥機及び洗濯機能と衣類乾燥機能とを備えた洗濯乾燥機に関する。
【背景技術】
【０００２】
衣類乾燥機や洗濯乾燥機の乾燥性能の高効率化を図る技術として、衣類を乾燥させる乾燥装置にヒートポンプ装置を搭載する技術がある。この種の衣類乾燥機や洗濯乾燥機は、衣類の乾燥に使用された熱エネルギーがヒートポンプ装置の吸熱器にて回収され、再利用される。これによって、効率よく衣類を乾燥させることができる（例えば、特許文献１参照）。
【０００３】
図３は従来の衣類乾燥機の乾燥システムの構成図である。図３に示されるように、この従来の衣類乾燥機は、ヒートポンプ１０１と空気循環経路１０２とを備えている。ヒートポンプ１０１は、圧縮機１０３と放熱器１０４と絞り部１０５と吸熱器１０６（１０６ａ、１０６ｂ）と冷媒配管１０７とを含む。冷媒配管１０７は、圧縮機１０３、放熱器１０４、絞り部１０５、吸熱器１０６の順に冷媒が循環するように、圧縮機１０３と放熱器１０４と絞り部１０５と吸熱器１０６とを連結する。
【０００４】
衣類乾燥機は、空気循環経路１０２を循環する乾燥用空気のうち、吸熱器１０６を通過した乾燥用空気の一部を放熱器１０４に流通させ、吸熱器１０６を通過した乾燥用空気の他の一部を放熱器１０４に流通させずに空気流出路１０８から衣類乾燥機の外部に排出させる。これによって、乾燥用空気の一部を放熱器１０４によって加熱するとともに、乾燥用空気に含まれる熱エネルギーを吸熱器１０６によって回収し、再利用することにより、乾燥効率を向上させている。
【先行技術文献】
【特許文献】
【０００５】
【特許文献１】特開２０１２−２４９７４０号公報
【発明の概要】
【発明が解決しようとする課題】
【０００６】
しかしながら、特許文献１に記載された衣類乾燥機は、空気循環経路１０２に設置された吸熱器１０６ａと空気流出路１０８に設置された吸熱器１０６ｂとが直列に接続されている。これにより、吸熱器１０６内の冷媒の圧力損失が大きくなり、圧縮機１０３に流入する冷媒の圧力が低くなる。したがって、冷媒を圧縮するために大きなエネルギーが必要となり、消費電力量が増大するという課題を有していた。
【０００７】
また、特許文献１に記載された衣類乾燥機は、絞り部１０５が１つしか備えられていない。このため、吸熱器１０６ａおよび１０６ｂに流入する冷媒の絞り量をそれぞれの吸熱器の動作にとって最適に設定することが不可能であるという課題を有していた。
【０００８】
本発明は、前記従来の課題を解決するもので、衣類乾燥機の消費電力量を低減し、乾燥性能を向上させることができる衣類乾燥機を提供することを目的とする。
【課題を解決するための手段】
【０００９】
前記従来の課題を解決するために、本発明の衣類乾燥機は、筐体と、前記筐体内に回転自在に設けられた回転ドラムと、冷媒を圧縮する圧縮機と圧縮された冷媒の熱を放熱する
放熱器と高圧の冷媒の圧力を減圧する絞り部と減圧されて低圧となった冷媒によって周囲から熱を奪う第一の吸熱器と第二の吸熱器とを冷媒が循環可能に管路で連結して構成されたヒートポンプ装置と、前記回転ドラム内の乾燥用空気を循環させる循環風路と、前記循環風路内に設けられ、前記ヒートポンプ装置によって加熱された乾燥用空気を前記回転ドラム内に供給する送風装置と、前記回転ドラムから出た乾燥用空気の一部または全部を前記循環風路から分岐して前記循環風路外へ排出する排気風路と、前記循環風路外の空気を前記循環風路内に吸気する吸気風路とを備え、前記第一の吸熱器および前記放熱器は前記循環風路中に、前記第二の吸熱器は前記排気風路中にそれぞれ配置されるとともに、前記第一の吸熱器および前記第二の吸熱器は、並列関係をなすように２つに分岐された管路にそれぞれ接続されたことを特徴とするものである。
【００１０】
この構成によって、例えば、乾燥工程前半の排気空気の温度が低い場合には、筐体外の空気の熱エネルギーを採熱して、筐体内に取り込むことが可能になる。また、例えば、乾燥工程後半の排気空気の温度が高い場合にも、排気による熱エネルギーロスを抑制しながら、排気する空気に含まれる水分を筐体外へ排気することが可能になる。これにより、乾燥工程の全般でヒートポンプ装置の消費電力を低減することができるとともに、乾燥性能を向上させることができる。
【００１１】
また、循環風路中に設置された第一の吸熱器と排気風路中に設置された第二の吸熱器とが並列に接続されているため、冷媒を圧縮するためのエネルギーを低減することができ、乾燥時における消費電力量を低減することができる。
【発明の効果】
【００１２】
本発明の衣類乾燥機は、吸熱器によって筐体外の空気からの採熱を行うことおよび排気による熱エネルギーのロスを抑制しながら乾燥用空気の水分を排気することが可能になり、乾燥性能を向上させることができ、かつ、吸熱器の冷媒圧力損失を低減し圧縮に要するエネルギーを小さくすることによって消費電力量を低減することができる。
【図面の簡単な説明】
【００１３】
【図１】本発明の実施の形態１における衣類乾燥機の乾燥システムの構成図
【図２】本発明の実施の形態２における衣類乾燥機の乾燥システムの構成図
【図３】従来の衣類乾燥機の乾燥システム構成図
【発明を実施するための形態】
【００１４】
第１の発明の衣類乾燥機は、筐体と、前記筐体内に回転自在に設けられた回転ドラムと、冷媒を圧縮する圧縮機と圧縮された冷媒の熱を放熱する放熱器と高圧の冷媒の圧力を減圧する絞り部と減圧されて低圧となった冷媒によって周囲から熱を奪う第一の吸熱器と第二の吸熱器とを冷媒が循環可能に管路で連結して構成されたヒートポンプ装置と、前記回転ドラム内の乾燥用空気を循環させる循環風路と、前記循環風路内に設けられ、前記ヒートポンプ装置によって加熱された乾燥用空気を前記回転ドラム内に供給する送風装置と、前記回転ドラムから出た乾燥用空気の一部または全部を前記循環風路から分岐して前記循環風路外へ排出する排気風路と、前記循環風路外の空気を前記循環風路内に吸気する吸気風路とを備え、前記第一の吸熱器および前記放熱器は前記循環風路中に、前記第二の吸熱器は前記排気風路中にそれぞれ配置されるとともに、前記第一の吸熱器および前記第二の吸熱器は、並列関係をなすように２つに分岐された管路にそれぞれ接続されたことを特徴とするものである。
【００１５】
この構成により、乾燥用空気の一部または全部は、第二の吸熱器を通過した後に衣類乾燥機の外部に排出される。第二の吸熱器は排気される乾燥後の空気と熱交換を行うことにより、第二の吸熱器を通過する排気される空気の温度を低くすることが可能になる。例え
ば、乾燥工程前半において排気される空気の温度が低い場合には、吸気される空気の温度よりも排気される空気の温度を低くすることができる。結果として、第二の吸熱器によって筐体外の空気の熱エネルギーを採熱して、筐体内に取り込むことが可能になる。
【００１６】
これにより、圧縮機を駆動させるための電気エネルギーに加えて、第二の吸熱器によって採熱された筐体外の空気の熱エネルギーを循環風路内に蓄積することができる。これによって、乾燥用空気の温度上昇速度を向上させることが可能となり、乾燥性能を向上させ、消費電力量を低減することができる。
【００１７】
また、例えば、乾燥工程後半などの排気される空気の温度が高い場合においても、排気による熱エネルギーロスを抑制しながら、排気される空気に含まれる水分の全部または一部を、第二の吸熱器にて冷却除湿することなく、筐体外へ排気することが可能になり、乾燥性能を向上させ、消費電力量を低減することができる。
【００１８】
これらにより、乾燥工程の全般でヒートポンプ装置の消費電力を低減することができるとともに、乾燥性能を向上させることができる。
【００１９】
また、循環風路中に設置された第一の吸熱器と排気風路中に設置された第二の吸熱器とが並列に接続されていることによって、冷媒が流れる管路の長さを短くすることができる。また、冷媒が第一の吸熱器と第二の吸熱器に分流されることにより、それぞれの吸熱器に流れる冷媒流量を小さくすることができ、冷媒の圧力損失を低減することができる。これらによって、冷媒を圧縮するためのエネルギーを低減することができ、乾燥時における消費電力量を低減することができる。
【００２０】
第２の発明は、特に、第１の発明において、前記絞り部は、前記２つに分岐された管路の分岐部と前記第一の吸熱器との間に設けられた第一の絞り部と、前記分岐部と前記第二の吸熱器との間に設けられた第二の絞り部とからなるものである。
【００２１】
循環される風量のほうが排気される風量よりも大きい場合が多く、循環風路内に設けられた第一の吸熱器と排気風路に設けられた第二の吸熱器とでは最適な冷媒の絞り量が異なる。上記構成とすることによって、第一の絞り部と第二の絞り部とをそれぞれの吸熱器に適した絞り量にすることが可能となる。これによって、さらに、乾燥時における消費電力量を低減し、乾燥性能を向上させることができる。
【００２２】
第３の発明は、特に、第２の発明において、前記第一の絞り部と前記第二の絞り部のうち少なくも一方は、冷媒に対する絞り量を可変できる絞り部であるものである。
【００２３】
この構成により、例えば、乾燥工程前半などにおいて、吸気される空気よりも排気される空気の温度が低く、筐体外の空気の熱エネルギーの採熱効果が大きい場合に、第二の吸熱器における冷媒循環量が大きくなるように絞り量を変化させることで、第二の吸熱器による採熱量を大きくすることができる。これによって、さらに、乾燥時における消費電力量を低減し、乾燥性能を向上させることができる。
【００２４】
また、乾燥工程が進むと循環風路内を流れる乾燥用空気の温度が上昇する。このような状況の場合、第二の絞り部の絞り量を大きくする。これによって、第二の吸熱器内を流れる冷媒の温度を低くすることで排気される空気の温度を低くすることができる。これによって、採熱効果をより長く得ることができ、さらに、消費電力量を低減することできる。
【００２５】
以下、本発明の実施の形態について図面を参照しながら説明する。なお、本発明は、以下の実施の形態に限定されるものではない。
【００２６】
（実施の形態１）
図１は、本発明の実施の形態１における衣類乾燥機の乾燥システムの構成図である。
【００２７】
図１に示されるように、衣類乾燥機は、略直方体の筐体１と、筐体１内に回転自在に設けられ衣類を収容する円筒形状の回転ドラム２と、回転ドラム２を含む乾燥用空気を循環させる循環風路７と、回転ドラム２の排気口１３から送出された乾燥用空気の一部または全部を循環風路７外に排気する排気風路１０と、循環風路７外の空気を循環風路７内に導入する吸気風路１１と、循環風路７内に乾燥用空気を流動させ、送風口１４から回転ドラム２内の衣類に向けて乾燥用空気を送風する送風装置１２と、乾燥用空気を加熱するヒートポンプ装置２０とを備えている。
【００２８】
筐体１の前部には、回転ドラム２の開口端側に対向させて扉体（図示せず）が設けられている。使用者は、扉体を開くことで回転ドラム２に対して洗濯物（衣類）を出し入れする。
【００２９】
ヒートポンプ装置２０は、冷媒を圧縮する圧縮機２１と、圧縮された冷媒の熱を放熱する放熱器２２と、高圧の冷媒の圧力を減圧する絞り部２３と、絞り部２３で減圧されて低圧となった冷媒によって周囲から熱を奪う第一の吸熱器２４と、第一の吸熱器２４と並列に接続された第二の吸熱器２５と、これらを冷媒が循環するように連結する管路２６とから構成されている。
【００３０】
絞り部２３より下流側の管路２６は、分岐部Ａにおいて２つの冷媒管路２６ａおよび２６ｂに分岐し、それぞれ第一の吸熱器２４と第二の吸熱器２５とに接続され、第一の吸熱器２４と第二の吸熱器２５より下流側の合流部Ｂにおいて、再び１つの管路２６となる。
【００３１】
循環風路７は、回転ドラム２と排気口１３および送風口１４で連通している。循環風路７内には空気の流れる方向に従って、第一の吸熱器２４と放熱器２２が設置されている。送風装置１２は、放熱器２２より乾燥用空気の流れの下流側に設けられている。本実施の形態においては、上記のように、送風装置１２は、循環風路７内の回転ドラム２への入口側（送風口１４側）に設置されているが、回転ドラム２からの出口側（排気口１３側）に設置されていても良い。
【００３２】
排気風路１０は、回転ドラム２の排気口１３より下流の循環風路７から分岐され、端部が筐体１外に開放されており、乾燥用空気の一部または全部を筐体１外に排気する。排気風路１０内には第二の吸熱器２５が設置されている。
【００３３】
吸気風路１１は、第一の吸熱器２４の気流上流側において循環風路７に連通接続されており、筐体１外の空気を循環風路７内に吸気する構造となっている。
【００３４】
以上のように構成された衣類乾燥機について、その動作および作用を説明する。
【００３５】
回転ドラム２内に衣類が入れられ、衣類乾燥機の乾燥運転が開始されると、送風装置１２が駆動される。送風装置１２が駆動されると、循環風路７内を乾燥用空気が流動し、放熱器２２によって加熱された乾燥用空気が回転ドラム２内に送風口１４から流入する。回転ドラム２内に流入した乾燥用空気は洗濯物（衣類）から水分を奪い、高湿状態となって回転ドラム２の排気口１３から循環風路７へと送出される。その後、乾燥用空気は、循環風路７内を流れる空気と、排気風路１０を流れる空気とに分流される。
【００３６】
排気風路１０を流れる空気は、第二の吸熱器２５を流れる冷媒によって熱エネルギーを
回収され、筐体１外に排出される。一方、排気風路１０から排出される空気とほぼ同量の空気が吸気風路１１を通じて筐体１外から吸気される。この吸気されたくうきは、循環風路７を流れる空気と混合される。そして、混合され循環風路７を流れる空気は、第一の吸熱器２４を通過し、第一の吸熱器２４を流れる冷媒によって熱エネルギーを回収され、除湿および冷却される。除湿冷却された循環風路７を流れる空気は、放熱器２２を通過し、加熱され高温低湿の空気となり、送風装置１２によって、送風口１４から回転ドラム２内へ再び送り込まれる。
【００３７】
次に、ヒートポンプ装置２０の動作および作用について説明する。圧縮機２１が駆動されると、冷媒が圧縮され高温高圧のガス冷媒となって圧縮機２１を出る。圧縮機２１を出た冷媒は放熱器２２に流入し、循環風路７内を循環する乾燥用空気と熱交換され、冷媒は冷却されて液化する。一方、循環風路７内を循環する乾燥用空気は加熱され高温となる。
【００３８】
放熱器２２によって液化された冷媒は、絞り部２３で減圧され、分岐部Ａで第一の吸熱器２４を流れる冷媒管路２６ａと第二の吸熱器２５を流れる冷媒管路２６ｂに分流される。
【００３９】
この際、第一の吸熱器２４と第二の吸熱器２５は並列に接続されている。したがって、分岐部Ａで分岐後に冷媒管路２６ａを流れる冷媒は第一の吸熱器２４内のみを流れ、冷媒管路２６ｂを流れる冷媒は第二の吸熱器２５のみを流れる。これにより、第一の吸熱器２４内および第二の吸熱器２５内での冷媒の総合的な圧力損失を抑制することができる。また、第一の吸熱器２４および第二の吸熱器２５は並列に接続され、冷媒が分流される。これによって、第一の吸熱器２４内と第二の吸熱器２５内を流れる冷媒流量は、第一の吸熱器２４および第二の吸熱器２５が直列に接続されたときよりも小さくすることができる。これにより、冷媒の圧力損失を抑制でき、圧縮機２１に吸入される冷媒の圧力を高めることができる。
【００４０】
この際、第一の吸熱器２４においては、冷媒は、循環風路７内を循環する乾燥用空気と熱交換され加熱されて蒸発し、ガス冷媒となる。循環風路７内を循環する乾燥用空気は冷却、除湿され、低温低湿の空気となって放熱器２２へと向かう。一方、第二の吸熱器２５においては、冷媒は、排気風路１０を流れる排気される空気と熱交換され、加熱されて蒸発し、ガス冷媒となる。排気風路１０内を流れる空気は冷媒に熱を奪われ冷却され、低温低湿の空気となって筐体１外に排気される。
【００４１】
次に、第一の吸熱器２４と第二の吸熱器２５を出たガス冷媒は合流部Ｂで合流し、圧縮機２１に戻る。この際、前述したように冷媒の圧力損失は抑制されている。これにより、冷媒圧力の低下が抑制され、圧縮機２１における消費電力量が低減される。
【００４２】
また、排気風路１０から排気される空気は第二の吸熱器２５で熱エネルギーを回収され低温となって排出される。このとき、乾燥工程前半などにおいて、排気される空気の温度が吸気風路１１から吸気される空気の温度よりも低い場合、第二の吸熱器２５によって循環風路７外の空気の熱エネルギーを採熱することができる。そして、採熱された熱エネルギーを放熱器２２によって循環風路７内に取り込むことが可能になる。
【００４３】
これにより、圧縮機２１を駆動させるための電気エネルギーに加えて、第二の吸熱器２５によって採熱された循環風路７外の空気の熱エネルギーを循環風路７内に蓄積することができる。これによって、乾燥用空気の温度上昇速度を向上させることが可能となり、乾燥性能を向上させることができる。
【００４４】
また、乾燥工程後半などの排気される空気の温度が高い場合においても、排気による熱
エネルギーロスを抑制しながら、排気される空気に含まれる水分を第二の吸熱器２５にて除湿することなく、循環風路７外へ排気することが可能になり、乾燥性能を向上させ、消費電力量を低減することができる。
【００４５】
これらにより、本実施の形態における衣類乾燥機は、乾燥工程の全般でヒートポンプ装置２０の消費電力量を低減することができるとともに、乾燥性能を向上させることができる。
【００４６】
また、循環風路７中に設置された第一の吸熱器２４、および排気風路１０中に設置された第二の吸熱器２５が並列に接続されている。これによって、冷媒が流れる管路２６の長さを短くすることができるとともに、冷媒が第一の吸熱器２４および第二の吸熱器２５に分流されることにより、それぞれの吸熱器２４、２５に流れる冷媒流量を小さくすることができ、冷媒の圧力損失を低減することができる。これによって、冷媒を圧縮するためのエネルギーを低減することができ、乾燥時における消費電力量を低減することができる。
【００４７】
（実施の形態２）
図２は、本発明の実施の形態２における衣類乾燥機の乾燥システムの構成図である。本実施の形態における衣類乾燥機は、ヒートポンプ装置を構成する絞り部が、第一の吸熱器を通る管路と第二の吸熱器を通る管路にそれぞれ設けられたものである。その他の構成は実施の形態１と同様であり、同じ構成のものは同じ符号を付して詳細な説明は省略する。
【００４８】
図２に示されるように、ヒートポンプ装置３０は、冷媒を圧縮する圧縮機２１と、圧縮された冷媒の熱を放熱する放熱器２２と、高圧の冷媒の圧力を減圧する第一の絞り部３４および第二の絞り部３５と、第一の絞り部３４で減圧されて低圧となった冷媒によって周囲から熱を奪う第一の吸熱器２４と、第一の吸熱器２４と並列に接続され、第二の絞り部３５で減圧されて低圧となった冷媒によって周囲から熱を奪う第二の吸熱器２５と、これらを冷媒が循環するように連結する管路３６とから構成されている。
【００４９】
放熱器２２より下流側の管路３６は、分岐部Ａにおいて２つの冷媒管路３６ａおよび３６ｂに分岐されている。冷媒管路３６ａは、第一の絞り部３４と第一の吸熱器２４とをその順に接続する。冷媒管路３６ｂは、第二の絞り部３５と第二の吸熱器２５とをその順に接続する。冷媒管路３６ａと冷媒管路３６ｂは、それぞれ第一の吸熱器２４と第二の吸熱器２５より下流側の合流部Ｂにおいて、再び１つの管路３６となる。
【００５０】
ヒートポンプ装置３０の動作および作用について説明する。本実施の形態では、第一の絞り部３４と第二の絞り部３５との少なくとも一方を、冷媒に対する絞り量を可変に構成している。以下、一例として、第二の絞り部３５を絞り量可変に構成した場合について、動作および作用を説明する。
【００５１】
乾燥工程前半などにおいて、排気される空気の温度が吸気風路１１から吸気される空気の温度よりも低く、循環風路７外の空気の熱エネルギーを採熱する効果が大きい場合、第二の絞り部３５の絞り量を小さくする。これによって、第二の吸熱器２５を流れる冷媒循環量を増やすことにより、第二の吸熱器２５による採熱量を大きくすることができ、乾燥用空気の温度上昇速度を向上させることが可能となり、さらに乾燥性能を向上させて消費電力量を低減できる。
【００５２】
また、乾燥工程が進むと循環風路７内を流れる乾燥用空気の温度が上昇する。このような状況の場合、第二の絞り部３５の絞り量を大きくする。これによって、第二の吸熱器２５内を流れる冷媒の温度を低くすることで排気される空気の温度を低くすることができる。これによって、採熱効果をより長く得ることができ、さらに、消費電力量を低減するこ
とできる。この際、排気風路１０を流れる空気の量を調整する装置を用いれば、排気風路１０を流れる風量を低下させることができ、さらに消費電力量を低減させる効果を大きくすることができる。排気風量を調整する装置は、例えば、モータによって板を回動させて風路内の開口面積を調整可能に構成し、循環風路７と排気風路１０との分岐部に設けることによって実現することができる。
【００５３】
なお、本実施の形態では第二の絞り部３５を絞り量変更可能としたが、第一の絞り部３４を絞り量変更可能とした場合でも、同様の効果が得られる。この構成においては、乾燥工程前半などの採熱効果が大きい場合、第一の絞り部３４の絞り量を大きくし、第一の吸熱器２４への冷媒循環量を減らすことで、第二の吸熱器２５への冷媒循環量を増やすことができ、同様の効果が得られる。
【００５４】
また、第一の絞り部３４と第二の絞り部３５を両方とも絞り量可変にすることで、さらにきめ細かな冷媒流量調整が可能となり、さらに大きな乾燥性能向上効果および消費電力量低減効果が得られる。
【産業上の利用可能性】
【００５５】
以上のように、本発明にかかる衣類乾燥機は、排熱のエネルギーロスを低減し、消費電力量低減効果と効率の良い乾燥性能を提供できるものである。したがって、本発明にかかる衣類乾燥機は、乾燥専用機に限定されるものではない。ヒートポンプ装置を備えた乾燥機能を有する、ドラム式洗濯乾燥機、さらにはドラム式以外の吊り干し方式の衣類乾燥機、パルセータ方式の縦型洗濯乾燥機等の用途にも適応できる。
【符号の説明】
【００５６】
１  筐体
２  回転ドラム
７  循環風路
１０  排気風路
１１  吸気風路
１２  送風装置
１３  排気口
１４  送風口
２０  ヒートポンプ装置
２１  圧縮機
２２  放熱器
２３  絞り部
２４  第一の吸熱器
２５  第二の吸熱器
２６  管路
３０  ヒートポンプ装置
３４  第一の絞り部
３５  第二の絞り部
３６  管路
【図１】
2019000342.tif 000003
【図２】
2019000342.tif 000004
【図３】
2019000342.tif 000005